(57)【特許請求の範囲】
【請求項１】
収容空間を少なくとも部分的に囲う第１筐体と、
前記収容空間を少なくとも部分的に囲う第２筐体と、
前記収容空間に収容された電子部品と、
前記第１筐体と前記第２筐体との間に固定された防水シートと、
を備え、
前記第１筐体が、前記第２筐体に対向した第１対向部を含み、
前記第２筐体が、前記第１筐体に対向した第２対向部を含み、
前記防水シートが、前記第１対向部と前記第２対向部との両方に接触した状態で前記第１対向部と前記第２対向部との間に挟まれ、
前記第１対向部と前記第２対向部との少なくとも一方が、他方に対向した凹凸を含み、
前記第１対向部が、前記第２対向部に対向した第１接触面を含み、
前記第１接触面が、第１方向に延びており、
第１方向における前記第１接触面の長さが、前記第１方向に略直交する方向における前記第１接触面の幅より大きく、
前記第２対向部が、前記第１方向に沿って前記凹凸の少なくとも一部を含み、
前記防水シートが、前記第１接触面から前記第１方向に略直交する方向における両側に広がる
携帯型操作装置。
【請求項２】
収容空間を少なくとも部分的に囲う第１筐体と、
前記収容空間を少なくとも部分的に囲う第２筐体と、
前記収容空間に収容された電子部品と、
前記第１筐体と前記第２筐体との間に固定された防水シートと、
を備え、
前記第１筐体が、前記第２筐体に対向した第１対向部を含み、
前記第２筐体が、前記第１筐体に対向した第２対向部を含み、
前記防水シートが、前記第１対向部と前記第２対向部との両方に接触した状態で前記第１対向部と前記第２対向部との間に挟まれ、
前記第１対向部と前記第２対向部との少なくとも一方が、他方に対向した凹凸を含み、
前記第１対向部が、前記第２対向部に対向した第１接触面を含み、
前記第１接触面が、第１方向に延びており、
第１方向における前記第１接触面の長さが、前記第１方向に略直交する方向における前記第１接触面の幅より大きく、
前記第２対向部が、
前記第１接触面に対向した第２接触面と、
前記第１接触面から離れる方向に向けて前記第２接触面から窪んだ複数の溝と、
を含み、
第２接触面と前記複数の溝とが、前記凹凸の少なくとも一部を構成し、
前記複数の溝の各々が、前記第１接触面に対向する部分から、前記第１方向に交差する第２方向の両側に延びており、
前記防水シートが、前記第２接触面に接触している、
携帯型操作装置。
【請求項３】
前記防水シートが、ゴム製である、
請求項１に記載の携帯型操作装置。
【発明の詳細な説明】
【技術分野】
【０００１】
本発明は、携帯型操作装置に関するものである。
【背景技術】
【０００２】
人から受けた操作に応じて種々の動作を実行する携帯型操作装置がある。携帯型操作装置の一例として、特許文献１に記載のように、車両と無線通信することにより車両の扉の錠を操作するキーレスエントリー携帯送信機が知られている。特許文献１に記載の携帯型操作装置は、上ケースと下ケースとにより構成される筐体内に、車両の錠を操作するための回路モジュールを搭載している。さらに、特許文献１に記載の携帯型操作装置は、上ケースと下ケースとに挟まれたラバーシートにより、収容空間内に水が浸入することを防ぐ。
【先行技術文献】
【特許文献】
【０００３】
【特許文献１】特開２０１２−１９９１８３号明細書
【発明の概要】
【発明が解決しようとする課題】
【０００４】
しかしながら、一般に、従来の携帯型操作装置では、収容空間内に水の浸入を防ぐラバーシートを２つの部材で広い面で挟み込んで保持する。その結果、ラバーシートを保持する２つの部材を引き離す力が、ラバーシートから常に加わっている。すると、携帯型操作装置が落下したときなど、外部から携帯型操作装置に衝撃が加わったときに、ラバーシートを保持する２つの部材が、ラバーシートからの力により分解しやすいという不利益がある。【０００５】
本発明はかかる事情に鑑みてなされたものであり、その目的は、衝撃により分解しにくい携帯型操作装置を提供することにある。
【課題を解決するための手段】
【０００６】
本発明は、収容空間を少なくとも部分的に囲う第１筐体と、収容空間を少なくとも部分的に囲う第２筐体と、収容空間に収容された電子部品と、第１筐体と第２筐体との間に固定された防水シートと、を備え、第１筐体が、第２筐体に対向した第１対向部を含み、第２筐体が、第１筐体に対向した第２対向部を含み、防水シートが、第１対向部と第２対向部との両方に接触した状態で第１対向部と第２対向部との間に挟まれ、第１対向部と第２対向部との少なくとも一方が、他方に対向した凹凸を含む、携帯型操作装置である。【０００７】
この構成によれば、第１対向部と第２対向部との少なくとも一方が、他方に対向した凹凸を含むので、防水シートが変形して凹凸の窪みに入り込む。それにより、第１対向部と第２対向部との両方に凹凸がない場合に比べて、防水シートから第１筐体と第２筐体とに加わる圧力を小さくなり、携帯型操作装置を衝撃により分解しにくくすることができる。【０００８】
好適には本発明の携帯型操作装置において、第１対向部が、第２対向部に対向した第１接触面を含み、第１接触面が、第１方向に延びており、第１方向における第１接触面の長さが、第１方向に略直交する方向における第１接触面の幅より大きく、第２対向部が、第１方向に沿って凹凸の少なくとも一部を含み、防水シートが、第１接触面から第１方向に略直交する方向における両側に広がる。【０００９】
この構成によれば、第１接触面が、第１方向に延びており、第１接触面の長さが第１接触面の幅より大きいので、第１対向部が防水シートに食い込みやすい。その結果、防水性能を高めながら、力の分散により携帯型操作装置を衝撃により分解しにくくすることができる。【００１０】
好適には本発明の携帯型操作装置において、第２対向部が、第１接触面に対向した第２接触面と、第１接触面から離れる方向に向けて第２接触面から窪んだ複数の溝と、を含み、第２接触面と複数の溝とが、凹凸の少なくとも一部を構成し、複数の溝の各々が、第１接触面に対向する部分から、第１方向に交差する第２方向の両側に延びており、防水シートが、第２接触面に接触している。【００１１】
この構成によれば、第２対向部が複数の溝を含むので、防水シートが複数の溝に食い込み、その結果、防水性能を高めることができる。また、圧縮された防水シートが複数の溝に逃げるので、２つの平面で防水シートを挟む場合に比べて、防水シートから第１筐体と第２筐体とに加わる弾性力が緩和され、携帯型操作装置を衝撃により分解しにくくすることができる。さらに、第１接触面の延びる第１方向と複数の溝の延びる第２方向とが交差するので、製造誤差等により第１接触面と第２接触面との位置がばらついても、安定して防水シートを挟み込んで、携帯型操作装置を衝撃により分解しにくくすることができる。【００１２】
好適には本発明の携帯型操作装置において、防水シートが、ゴム製である。【００１３】
この構成によれば、防水シートが、ゴム製であるので、防水シートを凹凸に食い込ませやすい。その結果、防水シートにゴムより固い材質を使用する場合に比べて、携帯型操作装置を衝撃により分解しにくくすることができる。
【発明の効果】
【００１４】
本発明によれば、衝撃により分解しにくい携帯型操作装置を提供することができる。
【図面の簡単な説明】
【００１５】
【図１】本発明の一実施形態の携帯型操作装置の斜視図である。
【図２】ｚ１側から見た図１に示す携帯型操作装置の分解斜視図である。
【図３】ｚ２側から見た図１に示す携帯型操作装置の分解斜視図である。
【図４】図１の４−４線を通る断面における携帯型操作装置の部分切断面図である。
【図５】ｚ１方向で見た図１に示す第２筐体の底面図である。
【図６】図４の６−６線を通る断面における携帯型操作装置の部分切断面図である。
【発明を実施するための形態】
【００１６】
（全体構成）
以下、本発明の実施形態に係る携帯型操作装置について説明する。図１は、本実施形態の携帯型操作装置１００の斜視図である。携帯型操作装置１００は、図示しない車両と無線通信することにより、車両の扉の鍵を解錠及び施錠する。携帯型操作装置１００は、使用者が手で携帯可能な大きさをもつ。図２は、ｚ１側から見た携帯型操作装置１００の分解斜視図である。図３は、ｚ２側から見た携帯型操作装置１００の分解斜視図である。
【００１７】
本明細書において、互いに直交するｘ方向、ｙ方向、及びｚ方向を規定する。ｘ方向は、互いに逆を向くｘ１方向とｘ２方向とを区別せずに表す。ｙ方向は互いに逆を向くｙ１方向とｙ２方向とを区別せずに表す。ｚ方向は互いに逆を向くｚ１方向とｚ２方向とを区別せずに表す。また、ｚ１側を上側と表現し、ｚ２側を下側と表現し、ｘ１側を前側と表現し、ｘ２側を後側と表現し、ｙ１側を右側と表現し、ｙ２側を左側と表現する場合がある。これらの方向は、相対的な位置関係を説明するために便宜上規定するのであって、実際の使用時の方向を限定するわけではない。構成要素の形状は、「略」という記載があるかないかにかかわらず、本明細書で開示された実施形態の技術思想が実現される限り、記載された表現に基づく厳密な幾何学的な形状に限定されない。
【００１８】
図２に示すように、携帯型操作装置１００は、収容空間１１０を少なくとも部分的に囲う第１筐体１２０と、収容空間１１０を少なくとも部分的に囲う第２筐体１３０と、収容空間１１０に収容された電子部品１４０と、第１筐体１２０と第２筐体１３０との間に固定された防水シート１５０とを含む。
（第１筐体）
図２に示すように、第１筐体１２０は、ｘｙ平面に略平行に広がる扁平な部材である。第１筐体１２０は、樹脂製である。第１筐体１２０は、ｚ２方向で見たとき、外周に沿った環状の第１周縁部１２１をもつ。第１周縁部１２１は、ｘｙ平面に略平行な面である。
【００１９】
第１筐体１２０は、第１周縁部１２１の内縁からｚ１方向に突出した突出部１２２を含む。突出部１２２は、ｚ１側に、ｘｙ平面に略平行な上面１２３をもつ。突出部１２２は、ｚ２方向で見たとき、ｘ方向に略平行な２辺とｙ方向に略平行な２辺とをもつ略長方形の外形をもつ。
【００２０】
突出部１２２は、上面１２３の外縁と第１周縁部１２１の内縁との間に、前第１係合突起１２４−１と右第１係合突起１２４−２と左第１係合突起１２４−３とを含む。前第１係合突起１２４−１は、ｘ１側の面からｘ１方向に突出しており、ｙ方向に延びている。右第１係合突起１２４−２は、ｙ１側の面からｙ１方向に突出しており、ｘ方向に延びている。左第１係合突起１２４−３は、ｙ２側の面からｙ２方向に突出しており、ｘ方向に延びている。
【００２１】
第１筐体１２０は、上面１２３からｚ２方向に窪んだ第１窪み１２５をもつ。第１窪み１２５は、ｚ２方向で見たとき、ｘ方向に略平行な２辺とｙ方向に略平行な２辺とをもつ略長方形の外形をもつ。
【００２２】
第１筐体１２０は、さらに、いずれも上面１２３からｚ１方向に突出した、前第１対向部１２６−１と右第１対向部１２６−２と左第１対向部１２６−３と後第１対向部１２６−４と（以下、区別せずに、第１対向部１２６と呼ぶ場合がある）を含む。前第１対向部１２６−１は、第１窪み１２５のｘ１側に位置し、概ねｙ方向に延びている。後第１対向部１２６−４は、第１窪み１２５のｘ２側に位置し、概ねｙ方向に延びている。右第１対向部１２６−２は、第１窪み１２５のｙ１側に位置し、前第１対向部１２６−１のｙ１側端部と後第１対向部１２６−４のｙ１側端部との間で概ねｘ方向に延びている。左第１対向部１２６−３は、第１窪み１２５のｙ２側に位置し、前第１対向部１２６−１のｙ２側端部と後第１対向部１２６−４のｙ２側端部との間で概ねｘ方向に延びている。第１対向部１２６は、上面１２３内において第１窪み１２５を環状に囲む。
【００２３】
図４は、図１の４−４線を通りｚｘ平面に平行な断面をｙ１方向で見た部分切断面図である。図４に示すように、前第１対向部１２６−１は、ｚ１側端部に前第１接触面１２７−１をもつ。前第１接触面１２７−１の断面は、略円のｚ１側半分であり、ｚ１方向にいくにつれてｘ方向の幅が徐々に小さくなる。図２に示すように、前第１対向部１２６−１のｙ方向における長さは、前第１対向部１２６−１のｘ方向における幅より長い。また、ｙ方向に延びた前第１接触面１２７−１のｙ方向における長さは、前第１接触面１２７−１のｘ方向における幅より長い。
【００２４】
図２に示すように、右第１対向部１２６−２は、右第１接触面１２７−２をもつ。左第１対向部１２６−３は、左第１接触面１２７−３をもつ。後第１対向部１２６−４は、後第１接触面１２７−４をもつ。以下、前第１接触面１２７−１と右第１接触面１２７−２と左第１接触面１２７−３と後第１接触面１２７−４とを区別せずに、第１接触面１２７と呼ぶ場合がある。各第１接触面１２７を局所的に見たとき、第１接触面１２７の延びる方向を第１方向と呼ぶ場合がある。第１方向は、ｘ方向の場合とｙ方向の場合とがある。
【００２５】
後第１対向部１２６−４と後第１接触面１２７−４とは、前第１対向部１２６−１と前第１接触面１２７−１とを、ｘｙ平面に沿って１８０度回転させたものに類似する。右第１対向部１２６−２と右第１接触面１２７−２とは、ｚ２方向で見たとき、前第１対向部１２６−１と前第１接触面１２７−１とを、ｘｙ平面に沿って反時計回りに９０度回転させたものに類似する。左第１対向部１２６−３と左第１接触面１２７−３とは、ｚ２方向で見たとき、前第１対向部１２６−１と前第１接触面１２７−１とを、ｘｙ平面に沿って時計回りに９０度回転させたものに類似する。
【００２６】
前第１接触面１２７−１と後第１接触面１２７−４とは、ｙ方向の長さが略同一である。右第１接触面１２７−２と左第１接触面１２７−３とは、ｘ方向の長さが略同一である。右第１接触面１２７−２のｘ方向の長さは、前第１接触面１２７−１のｙ方向の長さより長い。
（第２筐体）
図３に示すように、第２筐体１３０は、ｘｙ平面に略平行に広がる扁平な部材である。第２筐体１３０は、樹脂製である。第２筐体１３０は、ｚ１方向で見たとき、外周に沿った環状の第２周縁部１３１をもつ。第２周縁部１３１は、ｘｙ平面に略平行な面である。
【００２７】
第２筐体１３０は、第２周縁部１３１の内縁からｚ１方向に窪んだ第２窪み１３２をもつ。第２窪み１３２は、ｚ１方向で見たとき、ｘ方向に略平行な２辺とｙ方向に略平行な２辺とをもつ略長方形の外形をもつ。第２窪み１３２は、ｚ１側に、ｘｙ平面に略平行でｚ２方向を向いた天井面１３３をもつ。天井面１３３は、ｚ１方向で見たとき、概ねｘ方向に沿った２辺と、概ねｙ方向に沿った２辺とをもつ略長方形の外形をもつ。
【００２８】
図５は、ｚ１方向で見た第２筐体１３０の底面図である。第２窪み１３２は、天井面１３３の外縁と第２周縁部１３１の内縁との間の内面に、前第２係合突起１３４−１と右第２係合突起１３４−２と左第２係合突起１３４−３とを含む。前第２係合突起１３４−１は、第２窪み１３２のｘ１側の内面からｘ２方向に突出しており、ｙ方向に延びている。右第２係合突起１３４−２は、第２窪み１３２のｙ１側の内面からｙ２方向に突出しており、ｘ方向に延びている。左第２係合突起１３４−３は、ｙ２側の内面からｙ１方向に突出しており、ｘ方向に延びている。
【００２９】
図３に示すように、第２筐体１３０は、天井面１３３を通ってｚ方向に貫通した貫通孔１３５をもつ。ｚ１方向で見たとき、天井面１３３が、貫通孔１３５を環状に囲う。第２筐体１３０は、いずれも天井面１３３に設けた凹凸である、前第２対向部１３６−１と右第２対向部１３６−２と左第２対向部１３６−３と後第２対向部１３６−４と（以下、区別せずに第２対向部１３６と呼ぶ場合がある）を含む。
【００３０】
図５に示すように、前第２対向部１３６−１は、貫通孔１３５のｘ１側に位置し、ｘｙ平面に略平行な前第２接触面１３７−１をもつ。前第２対向部１３６−１は、前第２接触面１３７−１からｚ１方向に窪んだ複数の前溝１３８−１を含む。図５では、代表して１個の前溝１３８−１のみに符号を付している。前溝１３８−１は、ｘ方向に延びている。前溝１３８−１は、ｘ２方向において、貫通孔１３５につながっている。前溝１３８−１は、ｘ１方向において外部に貫通していない。
【００３１】
図６は、図４の６−６線を通りｙｚ平面に平行な断面をｘ２方向で見た部分切断面図である。図６に示すように、前第２対向部１３６−１は、前第２接触面１３７−１からｚ１方向に窪んだ複数の前溝１３８−１を含む。前溝１３８−１は、ｙ方向に略平行な２辺とｚ方向に略平行な２辺とをもつ略長方形の断面をもつ。複数の前溝１３８−１は、いずれも略同一の断面をもち、ｙ方向に等間隔に位置する。ｙ方向において、前溝１３８−１の間隔は、前溝１３８−１の幅と略同一である。
【００３２】
前第２接触面１３７−１と複数の前溝１３８−１とが、天井面１３３の凹凸の少なくとも一部を構成する。前第２対向部１３６−１が、ｙ方向に沿った凹凸を含む。本実施形態では、前第２対向部１３６−１は、１５個の前溝１３８−１を含むが、他の例において、他の数の前溝１３８−１を含んでもよい。
【００３３】
図５に示すように、右第２対向部１３６−２は、貫通孔１３５のｙ１側に位置する。右第２対向部１３６−２は、ｘｙ平面に略平行な右第２接触面１３７−２と、右第２接触面１３７−２からｚ１方向に窪んだ複数の右溝１３８−２とを含む。右第２対向部１３６−２と右第２接触面１３７−２と右溝１３８−２とは、ｚ１方向で見たとき、前第２対向部１３６−１と前第２接触面１３７−１と前溝１３８−１とを、ｘｙ平面に沿って時計回りに９０度回転させたものに類似する。
【００３４】
左第２対向部１３６−３は、貫通孔１３５のｙ２側に位置する。左第２対向部１３６−３は、ｘｙ平面に略平行な左第２接触面１３７−３と、左第２接触面１３７−３からｚ１方向に窪んだ複数の左溝１３８−３とを含む。左第２対向部１３６−３と左第２接触面１３７−３と左溝１３８−３とは、ｚ１方向で見たとき、前第２対向部１３６−１と前第２接触面１３７−１と前溝１３８−１とを、ｘｙ平面に沿って反時計回りに９０度回転させたものに類似する。
【００３５】
後第２対向部１３６−４は、貫通孔１３５のｘ２側に位置する。後第２対向部１３６−４は、ｘｙ平面に略平行な後第２接触面１３７−４と、後第２接触面１３７−４からｚ１方向に窪んだ複数の後溝１３８−４とを含む。後第２対向部１３６−４と後第２接触面１３７−４と後溝１３８−４とは、前第２対向部１３６−１と前第２接触面１３７−１と前溝１３８−１とを、ｘｙ平面に沿って１８０度回転させたものに類似する。
【００３６】
以下、前第２接触面１３７−１と右第２接触面１３７−２と左第２接触面１３７−３と後第２接触面１３７−４とを区別せずに、第２接触面１３７と呼ぶ場合がある。前溝１３８−１と右溝１３８−２と左溝１３８−３と後溝１３８−４とを区別せずに、溝１３８と呼ぶ場合がある。互いに対向する溝１３８と第１接触面１２７とを局所的に見たとき、第１接触面１２７の延びる第１方向との関係において、溝１３８の延びる方向を第２方向と呼ぶ場合がある。
（電子部品）
図３と図４とに示すように、電子部品１４０は、回路基板１４１、２つのスイッチ１４２、２つの金属端子１４３で構成される。電子部品１４０は、電池、配線、抵抗素子、半導体チップなど、他の部材で構成されてもよい。
（防水シート）
図２に示すように、防水シート１５０は、ｘｙ平面に略平行に広がる環状の板状部１５１と、板状部１５１の内縁からｚ１方向に突出した突出部１５２とを含む。防水シート１５０は、水を通さないゴム製であり、第１筐体１２０と第２筐体１３０との両方よりも柔らかい。
（相対的な関係）
図１に示すように、第２筐体１３０は、第１筐体１２０のｚ２側に位置する。図２に示す第１筐体１２０の突出部１２２は、図３に示す第２筐体１３０の第２窪み１３２内に位置する。図２に示す第１筐体１２０の第１周縁部１２１は、図３に示す第２筐体１３０の第２周縁部１３１に密着する。
【００３７】
図４に示すように、前第１係合突起１２４−１は、前第２係合突起１３４−１のｚ１側に位置する。同様に、右第１係合突起１２４−２（図２）は、右第２係合突起１３４−２（図５）のｚ１側に位置する。左第１係合突起１２４−３（図２）は、左第２係合突起１３４−３（図５）のｚ１側に位置する。すなわち、所定の大きな力を加えない限り、前第１係合突起１２４−１と右第１係合突起１２４−２と左第１係合突起１２４−３とは、第２筐体１３０からｚ２方向に抜けない。
【００３８】
図２に示す第１筐体１２０の第１対向部１２６は、図３に示す第２筐体１３０の第２対向部１３６に対向する。より具体的には、図２に示す第１接触面１２７が、図３に示す第２接触面１３７に部分的に対向する。防水シート１５０は、図２に示す第１接触面１２７と図３に示す第２接触面１３７との両方に接触した状態で、第１対向部１２６と第２対向部１３６との間に挟まれる。図１に示すように、防水シート１５０の突出部１５２は、第２筐体１３０の貫通孔１３５の中に位置し、ｚ２側からｚ１方向に突出している。図２に示す防水シート１５０の板状部１５１は、ｚ方向において、図２に示す第１筐体１２０の第１対向部１２６と、図３に示す第２筐体１３０の天井面１３３との間に挟まれて固定される。
【００３９】
図４に示すように、板状部１５１のｘ１側の部分が、ｚ方向において、前第１対向部１２６−１と前第２対向部１３６−１との間に位置する。前第１対向部１２６−１の前第１接触面１２７−１は、板状部１５１に食い込んでいるので、相互の密着性が高い。防水シート１５０は、前第１接触面１２７−１からｘ方向の両側に広がる。
【００４０】
図６に示すように、前第１接触面１２７−１は、ｙ方向において、隙間無く連続的に防水シート１５０に接触する。防水シート１５０は、ｙ方向において、複数の前溝１３８−１の部分を除いて、前第２接触面１３７−１に隙間無く接触している。複数の前溝１３８−１は、前第１接触面１２７−１から離れる方向に向けて、前第２接触面１３７−１から窪んでいる。防水シート１５０は、第１筐体１２０と第２筐体１３０とを固定する力により、複数の前溝１３８−１内にはみ出している。複数の前溝１３８−１の各々は、前第１接触面１２７−１に対向する部分から、ｘ方向の両側に延びている（図４参照）。
【００４１】
板状部１５１のｙ１側の部分が、右第１対向部１２６−２（図２）と右第２対向部１３６−２（図３）との間に位置する。板状部１５１と右第１対向部１２６−２（図２）と右第２対向部１３６−２（図３）とは、ｚ２方向で見たとき、板状部１５１と前第１対向部１２６−１（図２）と前第２対向部１３６−１（図３）とを、ｘｙ平面に沿って反時計回りに９０度回転させたものに類似する。
【００４２】
板状部１５１のｙ２側の部分が、左第１対向部１２６−３（図２）と左第２対向部１３６−３（図３）との間に位置する。板状部１５１と左第１対向部１２６−３（図２）と左第２対向部１３６−３（図３）とは、ｚ２方向で見たとき、板状部１５１と前第１対向部１２６−１（図２）と前第２対向部１３６−１（図３）とを、ｘｙ平面に沿って時計回りに９０度回転させたものに類似する。
【００４３】
板状部１５１のｘ２側の部分が、後第１対向部１２６−４（図２）と後第２対向部１３６−４（図３）との間に位置する。板状部１５１と後第１対向部１２６−４（図２）と後第２対向部１３６−４（図３）とは、板状部１５１と前第１対向部１２６−１（図２）と前第２対向部１３６−１（図３）とを、ｘｙ平面に沿って１８０度回転させたものに類似する。
【００４４】
なお、他の例において、第１対向部１２６と第２対向部１３６との少なくとも一方が、他方に対向した凹凸を含んでよい。すなわち、他の例における第１対向部１２６が、本実施形態の第２対向部１３６における凹凸を含んでもよく、他の例における第１対向部１２６と第２対向部１３６との両方が、本実施形態の第２対向部１３６における凹凸を含んでもよい。
【００４５】
電子部品１４０は、第１筐体１２０の第１窪み１２５と第２筐体１３０との間に形成される収容空間１１０内に固定される。電子部品１４０は、収容空間１１０内において、第１筐体１２０と防水シート１５０との間に配置される。第１筐体１２０と第２筐体１３０との間に固定された防水シート１５０のおかげで、電子部品１４０の位置する収容空間１１０内に外部から水が入らない。
（まとめ）
本実施形態によれば、第１対向部１２６と第２対向部１３６との少なくとも一方が、他方に対向した凹凸を含むので、防水シート１５０が変形して凹凸の窪みに入り込む。それにより、第１対向部１２６と第２対向部１３６との両方に凹凸がない場合に比べて、防水シート１５０から第１筐体１２０と第２筐体１３０とに加わる圧力を小さくなり、携帯型操作装置１００を衝撃により分解しにくくすることができる。
【００４６】
本実施形態によれば、第１対向部１２６が、第２対向部１３６に対向した第１接触面１２７を含み、第１接触面１２７が、第１方向に延びており、第１方向における第１接触面１２７の長さが、第１方向に略直交する方向における第１接触面１２７の幅より大きく、第２対向部１３６が、第１方向に沿って凹凸の少なくとも一部を含み、防水シート１５０が、第１接触面１２７から第１方向に略直交する方向における両側に広がるので、第１対向部１２６が防水シート１５０に食い込みやすい。その結果、防水性能を高めながら、力の分散により携帯型操作装置１００を衝撃により分解しにくくすることができる。
【００４７】
本実施形態によれば、第２対向部１３６が、第１接触面１２７に対向した第２接触面１３７と、第１接触面１２７から離れる方向に向けて第２接触面１３７から窪んだ複数の溝１３８と、を含み、第２接触面１３７と複数の溝１３８とが、凹凸の少なくとも一部を構成し、複数の溝１３８の各々が、第１接触面１２７に対向する部分から、第１方向に交差する第２方向の両側に延びており、防水シート１５０が、第２接触面１３７に接触しているので、圧縮された防水シート１５０が複数の溝１３８に逃げる。その結果、２つの平面で防水シート１５０を挟む場合に比べて、防水シート１５０から第１筐体１２０と第２筐体１３０とに加わる弾性力が緩和され、携帯型操作装置１００を衝撃により分解しにくくすることができる。また、防水シート１５０が複数の溝１３８に食い込むので、防水性能を高めることができる。また、さらに、第１接触面１２７の延びる第１方向と複数の溝１３８の延びる第２方向とが交差するので、製造誤差等により第１接触面１２７と第２接触面１３７との位置がばらついても、安定して防水シート１５０を挟み込んで、携帯型操作装置１００を衝撃により分解しにくくすることができる。
【００４８】
本実施形態によれば、防水シート１５０が、ゴム製であるので、防水シート１５０を凹凸に食い込ませやすい。その結果、防水シート１５０にゴムより固い材質を使用する場合に比べて、携帯型操作装置１００を衝撃により分解しにくくすることができる。
【００４９】
本発明は上述した実施形態には限定されない。すなわち、当業者は、本発明の技術的範囲またはその均等の範囲内において、上述した実施形態の構成要素に関し、様々な変更、コンビネーション、サブコンビネーション、並びに代替を行ってもよい。
【産業上の利用可能性】
【００５０】
本発明は、防水シートを２つの部材で挟むことにより内部の電子部品を保護する種々の装置に適用可能である。【００５１】
本願は、日本国に2017年1月23日に出願された基礎出願2017-009851号に基づくものであり、その全内容はここに参照をもって援用される。
【符号の説明】
【００５２】
１００…携帯型操作装置、１１０…収容空間、１２０…第１筐体、１３０…第２筐体
１４０…電子部品、１５０…防水シート、１２６…第１対向部、１２７…第１接触面
１３６…第２対向部、１３７…第２接触面、１３８…溝
【図１】
0006668511.tif 000002
【図２】
0006668511.tif 000003
【図３】
0006668511.tif 000004
【図４】
0006668511.tif 000005
【図５】
0006668511.tif 000006
【図６】
0006668511.tif 000007